(57)【要約】  【課題】  筐体内部の限られたスペース内での基板の着脱を容易に行わせ得る電気機器を提供する。  【解決手段】  筐体としての外装ハウジング１の前面1aに、弾性を有する２本の支持柱10，10を立設し、これらの支持柱10，10の夫々との対向面に案内溝11，11を形成し、取り付け対象となる受光基板５を、これの両側縁を案内溝11，11に沿わせて支持柱10，10間に差し込み、所定の差し込み位置に達したとき、受光基板５の両側縁に設けた係合凸部51，51と、案内溝11，11の中途に設けた係合凹部12，12とが係合して位置決め固定される構成とする。【選択図】      図３
2006227303.tif 000002
【特許請求の範囲】
【請求項１】
筐体の内部に設けた支持部に固定支持された基板を備える電気機器において、
前記支持部は、前記筐体に立設された２本の弾性支持柱と、
該弾性支持柱の夫々との対向面に、前記基板の両側縁の差し込みが可能に設けられた案内溝と、
該案内溝の中途に凹設された係合凹部とを備え、
前記基板は、前記案内溝に差し込まれる側縁の中途に突設された係合凸部を備え、
前記案内溝に差し込まれる前記基板を、前記係合凹部及び係合凸部の係合により位置決めして固定してあることを特徴とする電気機器。
【請求項２】
前記弾性支持柱は、前記筐体と一体成形してある請求項１記載の電気機器。
【請求項３】
前記弾性支持柱夫々の係合凹部及び前記基板の両側縁の係合凸部は、前記基板の差し込みの方向に位置をずらせて設けてある請求項１又は請求項２記載の電気機器。
【請求項４】
前記２本の弾性支持柱の間に位置して前記筐体に突設され、前記係合凸部と係合凹部とが係合する差し込み位置にて前記基板の先端縁に当接する補助位置決めリブを備える請求項１乃至請求項３のいずれか１つに記載の電気機器。
【請求項５】
前記係合凸部の突設位置よりも差し込み方向先端側の前記基板の幅は、基端側の幅よりも小さくしてある請求項１乃至請求項４のいずれか１つに記載の電気機器。
【発明の詳細な説明】
【技術分野】
【０００１】
本発明は、各種の回路部品が実装された基板を筐体の内部に備える電気機器に関し、更に詳しくは、前記基板の支持構造に関する。
【背景技術】
【０００２】
電気機器の多くは、外装ハウジングを構成する筐体の内部に種々の機能を果たすべく構成された基板を備えている。この基板は、回路パターンが形成された基板パネルに必要な回路部品を実装してなり、多くの場合、筐体内部に設けた支持部にねじ止め固定して取り付けられている。
【０００３】
さて、このように電気機器に装備される基板は、筐体内部での取り付け位置が限定されることがある。例えば、近年の電気機器の多くは、離れた位置から赤外線を利用したリモコン操作が可能としてあり、この種の電気機器においては、筐体内部に赤外線の受光部が必要である。この受光部は、周辺回路と共に赤外線の受光素子が実装された基板（受光基板）として構成され、筐体の前面に開設された受光窓に面して取り付けられている（例えば、特許文献１、２参照）。
【０００４】
またこのように取り付けられた受光基板は、他の基板と独立して着脱（取り付け及び取り外し）することができ、例えば、受光素子又は周辺回路の動作不良の発生時における交換を容易に行わせることが可能である。更に、前記受光基板以外の基板においても、基板単位での交換を可能とするために機能毎に独立した基板を設け、夫々を筐体内部の各別の支持部に取り付ける構成とすることがある。
【特許文献１】特開平１１−９８４３６号公報
【特許文献２】実用新案登録第３１０６１８９号公報
【特許文献３】特開２００３−１１４６８５号公報
【発明の開示】
【発明が解決しようとする課題】
【０００５】
ところが前記受光基板の支持部は、筐体前面の限られたスペースに設けられており、このような支持部への受光基板の固定を前述したねじ止めにより行わせた場合、基板交換のために必要となる止めねじの緩め及び締め付け操作が近接して位置する内部機器との干渉により阻害されるという問題がある。
【０００６】
特に、特許文献３に開示されたプロジェクタは、画像表示パネル、投光ランプ及び投写レンズ等の内部機器が共通の筐体内に密に配置された構成となっており、このようなプロジェクタにおいては、内部機器との干渉を避けて止めねじを締め付け又は緩め操作し、受光基板を着脱することが難しいという不具合がある。
【０００７】
このような不具合の解消は、プロジェクタの組立て時における受光基板の取り付けにおいても、また、プロジェクタ用の受光基板に限らず、電気機器に備えられる基板全般の取り付け及び取り外しにおいても重要な課題となっている。
【０００８】
本発明は斯かる事情に鑑みてなされたものであり、筐体に立設された弾性を有する支持柱に設けた案内溝に基板を差し込んで固定することにより、基板の着脱を容易に行わせることができる電気機器を提供することを目的とする。
【０００９】
また本発明の他の目的は、基板が差し込まれる弾性支持柱を筐体と一体成形し、部品点数の削減による構成の簡素化を図るところにある。
【００１０】
また本発明の他の目的は、基板を位置決めする係合凹部及び係合凸部を差し込み方向に位置をずらせて設けることにより、取り付けミスの発生を併せて防止するところにある。      
【００１１】
また本発明の他の目的は、支持柱に差し込まれる基板の先端に当接する補助位置決めリブにより、基板の確実な位置決めを達成するところにある。
【００１２】
更に本発明の他の目的は、差し込み方向の先端幅を小さくした基板の採用により、支持柱への差し込みによる着脱を簡易に行わせるところにある。
【課題を解決するための手段】
【００１３】
本発明に係る電気機器は、筐体の内部に設けた支持部に固定支持された基板を備える電気機器において、前記支持部は、前記筐体に立設された２本の弾性支持柱と、該弾性支持柱の夫々との対向面に、前記基板の両側縁の差し込みが可能に設けられた案内溝と、該案内溝の中途に凹設された係合凹部とを備え、前記基板は、前記案内溝に差し込まれる側縁の中途に突設された係合凸部を備え、前記案内溝に差し込まれる前記基板を、前記係合凹部及び係合凸部の係合により位置決めして固定してあることを特徴とする。
【００１４】
本発明においては、弾性変形が可能であり、互いに対向する面に案内溝を備える２本の弾性支持柱を筐体に立設し、これらの支持柱に夫々の案内溝に両側縁を沿わせて基板を差し込み、該基板に突設された係合凸部と前記案内溝に設けられた係合凹部とを係合させて基板を固定する。
【００１５】
また本発明に係る電気機器は、前記弾性支持柱が、前記筐体と一体成形してあることを特徴とする。
【００１６】
この発明においては、基板を固定支持する弾性支持柱を筐体と一体成形して部品点数を削減する。
【００１７】
また本発明に係る電気機器は、前記弾性支持柱夫々の係合凹部及び前記基板の両側縁の係合凸部が、前記基板の差し込みの方向に位置をずらせて設けてあることを特徴とする。      
【００１８】
この発明においては、弾性支持柱の夫々に設けられる係合凹部、及び基板の両側縁に設けられる係合凸部を差し込みの方向に位置をずらせて設け、これらの係合凹部及び係合凸部が、表裏を逆にして基板が差し込まれたときに係合しないように構成して、取り付けミスの発生を防止する。
【００１９】
また本発明に係る電気機器は、前記２本の弾性支持柱の間に位置して前記筐体に突設され、前記係合凸部と係合凹部とが係合する差し込み位置にて前記基板の先端縁に当接する補助位置決めリブを備えることを特徴とする。
【００２０】
この発明においては、係合凸部と係合凹部とが係合する所定位置まで差し込まれた基板の先端に補助位置決めリブが当接し、該基板を前記所定位置に確実に位置決めする。
【００２１】
更に本発明に係る電気機器は、前記係合凸部の突設位置よりも差し込み方向先端側の前記基板の幅が、前記差し込み方向基端側の幅よりも小さくしてあることを特徴とする。        
【００２２】
この発明においては、弾性支持柱に設けた案内溝に沿わせた基板の差し込みを、幅を小さくした側を先として行わせ、この差し込みによる基板の取り付けを容易にする。係合凸部と係合凹部とが係合する差し込み位置にまで達した基板は、係合凸部よりも基端側の幅広の部分を弾性支持柱により挾持させて、ガタ付きなく位置決めする。
【発明の効果】
【００２３】
本発明に係る電気機器においては、筐体に突設された２本の弾性支持柱の間に、これらの対向面に設けた案内溝に両側縁を沿わせて基板を差し込むことにより、該基板が、これの両側縁に設けた係合凸部と案内溝に設けた係合凹部との係合により位置決め固定されるから、煩雑な手順を必要とせず、また周辺部品の存在に影響されずに基板を着脱することができ、不良発生時の交換に迅速に対応することが可能となる。
【００２４】
また基板を固定支持する弾性支持柱を筐体と一体成形したから、基板自体に設けられた係合凸部との相乗作用により基板の着脱のための専用部品が不要となり、構成の簡素化によるコストの低減を達成することができる。
【００２５】
また弾性支持柱夫々の係合凹部を差し込みの方向に位置をずらせて設け、また基板の両側縁の係合凸部を同じく位置をずらせて設けたから、誤って表裏を逆にして基板が差し込まれたとき前記係合凹部及び凸部が係合しなくなり、取り付け時の向きに正否がある基板の取り付けミスを未然に防止することが可能となる。
【００２６】
また２本の弾性支持柱間に差し込まれる基板の先端に当接する補助位置決めリブを設けたから、係合凸部と係合凹部との係合により位置決めされる基板を位置決めをより確実にすることができる。
【００２７】
更に基板の幅を、弾性支持柱間への差し込み方向の先端側を小さく、同じく基端側を大きくしたから、狭幅の先端側からの差し込みにより基板の取り付けを容易に行わせることができ、また弾性支持柱間での広幅の基端部の挾持により取り付け後の基板のガタ付きを排除して、確実な固定支持が可能となる等、本発明は優れた効果を奏する。
【発明を実施するための最良の形態】
【００２８】
以下本発明をその実施の形態を示す図面に基づいて詳述する。図１は、本発明に係る電気機器としてのプロジェクタの斜視図である。プロジェクタは、筐体としての外装ハウジング１を備えており、この外装ハウジング１の内部には、画像投写ユニット２が収容されている。なお本図には、内部透視のために外装ハウジング１の下半部のみを示してある。      
【００２９】
画像投写ユニット２は、原画像を表示する画像表示パネル、該画像表示パネルの一面に光を照射する投光ランプ、前記画像表示パネルの他面への透過光を外部に投写する投写レンズ等の光学機器、及びこれらの周辺機器を備え、前記前記投写レンズに対面配置されたスクリーンに前記原画像を拡大表示する公知の構成を有している。図中の画像表示ユニット２は、前記投写レンズの鏡筒20が一側に突設され、他の構成部材を内蔵する筐体として示されており、前記鏡筒20の先端を前面外部に突出させて、前記外装ハウジング１のの略全面を占めるように収容されている。
【００３０】
また外装ハウジング１の内部には、電源機器、各種の制御機器を周辺回路と共に実装してなる主基板３が、画像投写ユニット２の後半部上側を覆うように取り付けてあり、また一側の側面に沿って、内部冷却のために駆動される３基の空冷ファン４，４，４が並設されている。
【００３１】
また外装ハウジング１の内部には、受光基板５が取り付けられている。この受光基板５は、図示しないリモコン操作器から発せられる赤外線を受光する受光素子50を周辺回路と共に実装してなる小サイズの基板であり、前記鏡筒20の突出部の近傍に位置し、外装ハウジング１の前面内側に固定支持されている。本発明に係る電気機器としての図示のプロジェクタの特徴は、このような受光基板５の取り付け構造にあり、以下、この取り付け構造について説明する。
【００３２】
図２及び図３は、受光基板５の取り付け部近傍を拡大して示す斜視図である。なおこれらの図は、取り付け部近傍を明示するために図１と逆側（外装ハウジング１の内側）から見た斜視図としてあり、図２には、受光基板５が取り付けられた状態が、図３には、受光基板５が取り外された状態が夫々示されている。
【００３３】
これらの図に示す如く、受光基板５の取り付け部となる外装ハウジング１の前面1aの内側には、受光基板５の幅に対応する間隔を隔てて２本の支持柱10，10が、略平行をなして内向きに立設されている。これらの支持柱10，10は、少なくとも先端側を開く方向への変形が可能な弾性を有している。このような弾性は、支持柱10，10を樹脂製とすることにより付与することができ、樹脂製の支持柱10，10は、樹脂製の外装ハウジング１との一体成形することができる。なお図示の支持柱10，10は、外装ハウジング１の底面1bに向けて延長し、該底面1bに連設された平板状の柱体として強度アップを図るようにしてある。
【００３４】
図３に示す如く支持柱10，10の夫々と対向する面には、内向きに突設された各一対のリブの間に、上縁に沿って先端から基端に向けて延びる適幅の案内溝11，11が形成されており、これらの案内溝11，11の中途には、夫々の底面を適長に亘って切欠いてなる係合凹部12，12が形成されている。また外装ハウジング１の前面1aの内側には、前記支持柱10，10の間に適宜の間隔を隔てて一対の補助位置決めリブ13，13が突設されている。
【００３５】
一方受光基板５は、図３に示す如く、幅方向の両側縁の中途部に外向きに突設された係合凸部51，51を備えている。このような受光基板５は、図３中に矢符により示す如く、支持柱10，10に設けた案内溝11，11に両側縁を差し込み、これらの案内溝11，11に沿ってスライドさせつつ押し込むことにより、図２に示す如く取り付けられる。
【００３６】
図４は、受光基板５の取り付け手順を示す説明図である。受光基板５は、図４（ａ）に示す如く支持柱10，10間に位置決めされ、これらの支持柱10，10間に差し込まれる。受光基板５の幅は、係合凸部51，51の突設部の両側において異ならせてあり、差し込み方向先端側の幅Ｗ1 は、基端側の幅Ｗ2 よりも小さくし、支持柱10，10の離隔幅Ｗよりもわずかに小さくなるように設定されている。これにより、受光基板５の先端側の支持柱10，10間への差し込みを小さい抵抗下にて滑らかに行わせることができる。
【００３７】
このような差し込みが進行すると、図４（ｂ）に示す如く、係合凸部51，51の突設位置が支持柱10，10の先端に当接した状態となる。この状態にある受光基板５に、白抜矢符により示す如く押し込み力が加えられた場合、前述の如く弾性を有する支持柱10，10の先端は、夫々に当接する係合凸部51，51により、図中に矢符にて示す如く外向きに押し広げられるように撓み変形し、受光基板５の更なる差し込みを許容する。係合突起51，51には、図３及び図４に示す如く、差し込み方向に向けて縮幅するテーパ部が設けてあり、前記支持柱10，10の変形に抗してなされる受光基板５の差し込みは、前記テーパ部の作用により滑らかに行わせることができる。
【００３８】
図４（ｃ）は、受光基板５の差し込みが更に進行し、係合凸部51，51の突設位置が支持柱10，10の設けられた係合凹部12，12に一致した状態を示している。受光基板５の差し込みが図示の位置まで進行すると、係合凸部51，51が夫々に一致する係合凹部12，12に係合し、支持柱10，10が弾性復帰して受光基板５の両側縁を挾持し、該受光基板５が固定される。ここで、受光基板５の基端側の幅Ｗ2 を支持柱10，10の離隔幅Ｗよりもわずかに大きくなるように設定しておけば、支持柱10，10間での受光基板５の挾持は強固になされ、該受光基板５を確実に固定することができる。
【００３９】
またこのとき、受光基板５の先端縁は、外装ハウジング１の前面1a内側に突設された補助位置決めリブ13，13に当接し、該受光基板５は、これらの補助位置決めリブ13，13と、係合凹部12，12に係合する係合凸部51，51とにより差し込みの方向への移動不可に位置決めされる。このように取り付けられた受光基板５は、図２に示す如く、一面に実装された受光素子50をハウジング１の前面1aに臨ませた状態に位置決め固定され、該当位置に開設される図示しない受光窓から導入される赤外線を受光することができる。
【００４０】
なお以上の如く取り付けられた受光基板５は、一方又は両方の支持柱10，10の先端に拡幅方向に撓み変形させ、係合凹部12，12と係合凸部51，51との係合を解除して、受光基板５を逆向きに引き出すことにより取り外される。このように受光基板５の着脱は、支持柱10，10に対する受光基板５の差し込み及び引き出しという簡易な操作によって実現することが可能であり、図１に示す如く、周辺スペースに限りがある状態においても支障なく実施することができる。これにより、例えば、組み付け完了後の試験段階、使用途中の適宜の段階において必要となる不良品の交換に迅速に対応することが可能となる。
【００４１】
図５は、本発明の他の実施の形態を示す説明図である。この実施の形態においては、受光基板５の両側縁の係合凸部51，51が、支持柱10，10間への差し込みの方向に位置をずらせて突設されており、これらの係合凸部51，51と係合すべく支持柱10，10に設けられた係合凹部12，12も同様に、差し込みの方向に位置をずらせて形成してある。
【００４２】
図５（ａ）には、受光基板５が支持柱10，10の間に正しく差し込まれた状態が２点鎖線により示してあり、この場合、受光基板５に位置ずれを有して突設された係合凸部51，51は、同じく位置ずれを有して支持柱10，10に設けられた係合凹部12，12に係合し、前記受光基板５は確実に位置決め固定される。
【００４３】
一方図５（ｂ）には、表裏を逆にした受光基板５が支持柱10，10の間に誤って差し込まれた状態が２点鎖線により示してある。この場合、受光基板５に突設された係合凸部51，51の位置ずれの方向は、図５（ａ）におけると逆になり、この状態で支持柱10，10間に差し込まれたとしても、これらの支持柱10，10に設けられた係合凹部12，12に係合せず、該受光基板５は位置決め固定されることはない。
【００４４】
これにより．表裏を逆にした状態での受光基板５の誤った取り付けがなされる虞れを排除することができ、受光素子50の実装面を下向きとした取り付けミスの発生を未然に防止することが可能となる。またこのような効果は、係合凸部51，51同士及び係合凹部12，12同士を位置ずれさせて設けるという簡易な手段により得られるから、実用上の利便性が高い。
【００４５】
なお以上の実施の形態においては、プロジェクタにおける受光基板５の取り付け構造を例として説明しているが、本発明は、受光基板５以外の基板全般に取り付けに適用することができ、またプロジェクタに限らず、基板を備える電気機器全般に適用することが可能であることは言うまでもない。
【図面の簡単な説明】
【００４６】
【図１】本発明に係る電気機器としてのプロジェクタの斜視図である。
【図２】受光基板の取り付け部近傍を拡大して示す斜視図である。
【図３】受光基板の取り付け部近傍を拡大して示す斜視図である。
【図４】受光基板の取り付け手順を示す説明図である。
【図５】本発明の他の実施の形態を示す説明図である。
【符号の説明】
【００４７】
１    外装ハウジング（筐体）
５    受光基板
10    支持柱
11    案内溝
12    係合凹部
13    補助位置決めリブ
51    係合凸部
【図１】
2006227303.tif 000003
【図２】
2006227303.tif 000004
【図３】
2006227303.tif 000005
【図４】
2006227303.tif 000006
【図５】
2006227303.tif 000007